(57)【要約】【課題】  引き手が操作し易く開口部装置を提供する。【解決手段】  枠体と、この枠体内に左右方向に移動可能に設けられた障子Ｂ、Ｃと、この障子Ｂ、Ｃの縦框１３、２３の室内側面に設けられた引き手２７とを備え、引き手２７は、前記室内側面に設けられた凹所３１に収納される状態と、前記室内側面から外方に突出している状態とに可動変更可能となっている。引き手２７の凹部からなる手掛け部３４に手を掛けて障子Ｂ、Ｃを移動させると、引き手２７の手掛け部３４が障子Ｃの縦框２３、方立Ｅを横切る前に、引き手２７の障子収納部側の外面３７が縦框２３、方立Ｅに当接する。【選択図】      図６
2006265923.tif 000002
【特許請求の範囲】
【請求項１】
枠体と、この枠体内に左右方向に移動可能に設けられた障子と、この障子の縦框の室内側面に設けられた引き手とを備え、前記引き手は、前記室内側面に設けられた凹所に収納される状態と、前記室内側面から外方に突出している状態とに可動変更可能となっていることを特徴とする開口部装置。
【請求項２】
前記引き手には、前記障子の開動作時に、該引き手の手掛け部が他の部材を横切る前に前記他の部材に当接するストッパ部が設けられていることを特徴とする請求項１に記載の開口部装置。
【発明の詳細な説明】
【技術分野】
【０００１】
本発明は、引き込み障子、引き分け障子、引き違い障子または片引き障子等のように左右方向に移動可能な障子が枠体内に設けられた開口部装置に関する。
【背景技術】
【０００２】
この種の開口部装置の一つとして、建物の開口部の周りに設けられる上枠、下枠および左右の縦枠からなる枠体と、この枠体内に左右方向に移動可能に設けられた障子と、この障子を引き込み形式で収納する戸袋とを備え、開口部を全開にすることができる全開口型サッシ（全開サッシ）が知られている（例えば、特許文献１参照）。
【０００３】
【特許文献１】特開平６−２６２８６号公報
【発明の開示】
【発明が解決しようとする課題】
【０００４】
ところで、このような全開口型サッシにあっては、障子を開けて戸袋に収容するときに、引き手が邪魔にならないように、引き手が設けられている障子の縦框の室内側面より窪んでいる凹部からなる引き手が用いられている。
【０００５】
しかしながら、この引き手は、引き手の手掛け部が縦框の室内側面より引っ込んでいるので、手掛りが少なく、操作し難いという問題がある。また、このような引き手で障子を戸袋に収容しようとすると、戸袋の開口部側を形成する方立や間柱等の縦部分と障子との隙間に手の指等が巻き込まれて、挟まれる虞がある。
【０００６】
本発明は、このような事情に鑑みて為されたもので、引き手が操作し易く開口部装置を提供することを目的とする。
また、本発明は、障子が戸袋等の障子収納部に収納する際などに、手の指等が挟まれるのを防止することができる開口部装置を提供することを目的とする。
【課題を解決するための手段】
【０００７】
前記目的を達成するために、請求項１に記載の開口部装置は、枠体と、この枠体内に左右方向に移動可能に設けられた障子と、この障子の縦框の室内側面に設けられた引き手とを備え、前記引き手は、前記室内側面に設けられた凹所に収納される状態と、前記室内側面から外方に突出している状態とに可動変更可能となっていることを特徴とする。
【０００８】
また、請求項２に記載の開口部装置は、請求項１に記載の発明において、前記引き手には、前記障子の開動作時に、該引き手の手掛け部が他の部材を横切る前に前記他の部材に当接するストッパ部が設けられていることを特徴とする。
【発明の効果】
【０００９】
請求項１に記載の開口部装置によれば、障子を移動させるときには、引き手を室内側面から外方に突出させた状態にして用いることができるので、引き手に十分な手掛りができ、引き手の操作がし易くなる。一方、戸袋部等の障子収納部に収納する際などには、引き手を室内側面に設けられた凹所に収納することができるので、障子収納部を構成する部材や他の障子などに引き手が引っ掛からず、邪魔にならない。
【００１０】
また、請求項２に記載の開口部装置によれば、戸袋部等の障子収納部に収納する際などに、引き手の手掛け部が障子収納部を構成する部材や障子等の他の部材を横切る前に、ストッパ部がこの他の部材に当接するので、障子と他の部材との隙間に手の指等が巻き込まれて、挟まれるのを防止することができる。
【発明を実施するための最良の形態】
【００１１】
以下、添付した図面を参照しながら、本発明の実施の形態を説明する。
図１ないし図４は、本発明の実施の形態に係る両寄せ全開口タイプのサッシを示す図であって、図１は、全開口状態の横断面図であり、図２は、殆ど閉じた状態の横断面図であり、図３は、閉めている状態を室内側から見た図であり、図４は、全閉状態を室内側から見た図である。
【００１２】
このサッシ（開口部装置）は、合掌式に左右に２枚ずつの障子を配置した両寄せ全開タイプ（両引き込みタイプ）のサッシである。このサッシは、建物の開口部に取り付けられる枠体Ａと、この枠体Ａ内に左右方向（水平方向）に移動可能に設けられた左右の外障子（障子）Ｂ、Ｂおよび左右の内障子（障子）Ｃ、Ｃとを備えている。
【００１３】
枠体Ａの内側の左右の側部にはそれぞれ、障子を収納可能な障子収納部（戸袋部ともいう。）Ｄ、Ｄが設けられており、各障子収納部Ｄ、Ｄはそれぞれ、室内側の内側を方立Ｅ、Ｅにより仕切られている。このサッシでは、左右の外障子Ｂ、Ｂおよび内障子Ｃ、Ｃをそれぞれ、左右の障子収納部Ｄ、Ｄに収納することによって、全開状態にすることができるようになっている（図１参照）。なお、各方立Ｅの内側にはそれぞれ、合成樹脂製のアングルeが取り付けられている。
【００１４】
枠体Ａは、上枠１、下枠２および左右の縦枠３、４により方形に組み立てられて構成されている。
【００１５】
外障子Ｂは、上框１１、下框１２および左右の縦框１３、１４により方形の框組体が組み立てられ、この框組体にパネルである複層ガラス１６が組み込まれて構成されている。また、内障子Ｃは、上框２１、下框２２および左右の縦框２３、２４により方形の框組体が組み立てられ、この框組体にパネルである複層ガラス２６が組み込まれて構成されている。
【００１６】
外障子Ｂの戸先側（合掌側）の縦框１３の室内側面には、引き手２７が設けられている。この引き手２７は、図５ないし図７に示すように、縦框１３の室内側面に設けられた角柱状の凹所３１に、凹所３１の戸先側に位置する垂直軸３２を中心に回動可能に設けられている。この引き手２７は、平面視において菱形の柱状に形成され、その１つの角部に前記垂直軸３２が上下方向に貫通して設けられている。引き手２７には、戸先側から掘り込まれた凹部からなる手掛け部３４が形成されている。引き手２７は、ばね（付勢部材）３５により付勢されて、引き手２７の戸先き側の外面３６が凹所３１の戸先側の面に当接するまで、引き手２７が垂直軸３２を中心に回動し、縦框１３の室内側面から外方に突出する。このとき、引き手２７の召合せ側（障子収納部Ｄ側）の外面３７は、縦框１３の室内側面と略直交するように位置している。この引き手２７は、ばね３５の付勢力に抗して押し込むことにより、垂直軸３２を中心に回動し、凹所３１内に収容されるようになっている。
また、内障子Ｃの召合せ側の縦框２３の室内側面にも、引き手２７が同様に設けられている。
【００１７】
このように構成されたサッシにあっては、外障子Ｂを、内障子Ｃと重ねて配置したり、あるいは障子収納部Ｄに収納する（外障子を開ける）ときに、引き手２７の凹部からなる手掛け部３４に手を掛けて外障子Ｂを移動させると、引き手２７の手掛け部３４が内障子Ｃの召合せ側の縦框２３を横切る前に、引き手２７の障子収納部Ｄ側の外面３７が縦框２３に当接するので、外障子Ｂと縦框２３との隙間に手の指等が巻き込まれて、挟まれるのを防止することができる。その後、引き手２７を縦框１３の凹所３１に押し込み、さらに外障子Ｂの端部を押して移動させる。
【００１８】
また、内障子Ｃを障子収納部Ｄに収納するときに、引き手２７の手掛け部３４に手を掛けて内障子Ｃを移動させると、引き手２７の手掛け部３４が方立Ｅを横切る前に、引き手２７の障子収納部Ｄ側の外面３７が方立Ｅに当接するので、内障子Ｃと方立Ｅとの隙間に手の指等が巻き込まれて、挟まれるのを防止することができる。その後、引き手２７を縦框２３の凹所３１に押し込み、さらに内障子Ｃの端部を押して移動させる。
【００１９】
このように、外障子Ｂまたは内障子Ｃ障子を移動させるときには、引き手２７を縦框１３または縦框２３の室内側面から外方に突出させた状態にして用いることができるので、引き手２７に十分な手掛りができた状態で、引き手２７を操作することができ、外障子Ｂまたは内障子Ｃの移動し易い。一方、障子収納部Ｄに収納する際などには、引き手２７を室内側面に設けられた凹所３１に収納することができるので、方立Ｅや内障子Ｃに引き手２７が引っ掛からず、邪魔にならない。
上記において、引き手２７の障子収納部Ｄ側の外面３７は、手挟み（手巻き込み）防止用のストッパ部として機能している。
【００２０】
なお、上述の実施の形態では、引き手２７をばね３５により付勢して、縦框の室内側面から突出させるようにしたが、これに代えて、例えば、垂直軸３２に引き手２７をきつく嵌合させるようにして、垂直軸３２を中心に回動させて、室内側面に設けられた凹所３１に収納される状態と、室内側面から外方に突出している状態とをそれぞれ、維持することができるようにしてもよい。
また、上述の実施の形態では、引き手２７を菱形の柱状に形成したが、これに代えて、他の形状であってもよく、形状は問わない。
【００２１】
また、上述の実施の形態では、引き手２７にストッパ部３７を一体に設けたが、これに代えて、引き手２７とは別体にストッパを設けるようにしてもよい。
このようなストッパとしては、例えば、図８に示すようなストッパ５０を用いることができる。このストッパ５０は、障子Ｂ、Ｃに取り付けられるケース５１と、このケース５１に凹所５２に収納される状態と、ケース５１の外側面５３から外方に突出している状態とにピン５４を中心に回動して変更可能なストッパ部材５５とを備えている。このストッパ５０は、障子Ｂ、Ｃの適当な位置に取り付けられるが、例えば、縦框１３、２３の引き手２７の近くに取り付けると操作がし易くてよい。
このストッパ５０を、そのストッパ部材５５を外側面５３から外方に突出させておくと（図８（ｃ）参照）、例えば、障子Ｂ、Ｃを障子収納部Ｄに収納する（障子を開ける）ときに、引き手２７で障子Ｂ、Ｃを移動させると、引き手２７の手掛け部３４が障子Ｂ、Ｃの縦框１３、２３を横切る前に、ストッパ５０のストッパ部材５５が方立Ｅに当接するので、障子Ｂ、Ｃと方立Ｅとの隙間に手の指等が巻き込まれて、挟まれるのを防止することができる。その後、ストッパ部材５５を押してピン５４を中心に回動させ、ケース５１に凹所５２に収納した後、障子Ｂ、Ｃの端部を押して障子Ｂ、Ｃを移動させる。
なお、ストッパ５０のストッパ部５５は、ばね等により常時は外側に突出しているようにし、押すと引っ込むようにしてもよい。
【００２２】
また、上述の実施の形態では、本発明を両寄せ全開口タイプのサッシに適用した場合について説明したが、本発明はこれに限らず、引き分け障子、引き違い障子または片引き障子等のように左右方向に移動可能な障子が枠体内に設けられたサッシなどにも適用できる。例えば、引き違いサッシ等において、障子が重なる場合などにも、本発明に係る引き手を用いることができる。
【００２３】
また、上述の各実施の形態では、本発明を両寄せ全開口タイプ（両引き込みタイプ）のサッシに適用した場合について説明したが、これに限らず、図９および図１０に示すように、本発明を片引きタイプのサッシにも適用することができる。
【図面の簡単な説明】
【００２４】
【図１】本発明の実施の形態に係る両寄せ全開口タイプのサッシを示す図であって、全開口状態の横断面図である。
【図２】同、殆ど閉じた状態の横断面図である。
【図３】同、閉めている状態を室内側から見た図である。
【図４】同、全閉状態を室内側から見た図である。
【図５】同、引き手を示す斜視図である。
【図６】同、突出した状態の引き手を示す図である。
【図７】同、収納された状態の引き手を示す図である。
【図８】引き手と別体のストッパの例を示す図であって、（ａ）は平面図であり、（ｂ）は側面図であり、（ｃ）はストッパ部が突出している状態の側面図である。
【図９】本発明の実施の形態に係る片引き全開口タイプのサッシを示す図であって、閉めている状態を室内側から見た図である。
【図１０】同、全閉状態を室内側から見た図である
【符号の説明】
【００２５】
Ａ    枠体
Ｂ    外障子（障子）
Ｃ    内障子（障子）
Ｄ    障子収容部
Ｅ    方立
１３、２３    縦枠
２７    引き手
３１    凹所
３７    障子収納部側の外面（ストッパ部）
５０    ストッパ
【図１】
2006265923.tif 000003
【図２】
2006265923.tif 000004
【図３】
2006265923.tif 000005
【図４】
2006265923.tif 000006
【図５】
2006265923.tif 000007
【図６】
2006265923.tif 000008
【図７】
2006265923.tif 000009
【図８】
2006265923.tif 000010
【図９】
2006265923.tif 000011
【図１０】
2006265923.tif 000012